(57)【要約】【課題】芯糸にフィルムを巻き付けてなる経糸を使用した、新規な外観を有し、ファッション性を高めることができるスライドファスナー用のテープを提供する。【解決手段】経糸（２０）と緯糸（３０）を織製してなるスライドファスナー用のテープ（１０）は、長手方向に直交する幅方向において、務歯（２）が取り付けられる側の縁部である芯部（１１）と、芯部（１１）とは反対側の縁部である耳部（１２）と、芯部（１１）と耳部（１２）との間の本体部（１３）とを含む。前記本体部（１３）は、芯糸（２１）とこの芯糸（２１）に螺旋状に巻き付けけた色付きのフィルム（２２）とからなるフィルム糸（２０）を、少なくとも複数本の経糸（２０）として含む。前記フィルム糸（２０）において、芯糸（２１）は透明又は白色であり得、前記フィルム（２２）は、フィルム（２２）の一巻き（２２ａ、２２ｂ）間に芯糸（２１）を部分的に露出させるように芯糸（２１）に巻かれ得る。【選択図】図４
2016137065.tif 000002
【特許請求の範囲】
【請求項１】
経糸（２０）と緯糸（３０）を織製してなるスライドファスナー用のテープ（１０）であって、
長手方向に直交する幅方向において、務歯（２）が取り付けられる側の縁部である芯部（１１）と、芯部（１１）とは反対側の縁部である耳部（１２）と、芯部（１１）と耳部（１２）との間の本体部（１３）とを含み、
前記本体部（１３）は、芯糸（２１）とこの芯糸（２１）に螺旋状に巻き付けけた色付きのフィルム（２２）とからなるフィルム糸（２０）を、少なくとも複数本の経糸（２０）として含むことを特徴とするスライドファスナー用のテープ。
【請求項２】
前記フィルム糸（２０）において、芯糸（２１）は透明又は白色であり、前記フィルム（２２）は、フィルム（２２）の一巻き（２２ａ、２２ｂ）間に芯糸（２１）を部分的に露出させるように芯糸（２１）に巻かれる請求項１に記載のスライドファスナー用のテープ。
【請求項３】
前記緯糸（３０）は先染め糸である請求項１又は２に記載のスライドファスナー用のテープ。
【発明の詳細な説明】
【技術分野】
【０００１】
本発明は、スライドファスナー用のテープに関し、特に経糸と緯糸を織製してなるスライドファスナー用のテープに関する。
【背景技術】
【０００２】
スライドファスナー用のテープ（ファスナーテープ）として、芯糸にフィルム等を巻き付けてなる経糸を使用する次のものが知られている。特許第３５２６３８９号公報及び特許第３５２６３９０号公報は、ポリアミド、ポリエステル等のモノフィラメント又はマルチフィラメントの合成繊維糸を芯材とし、芯材に再帰反射性フィルムを巻き付けてなる経糸を用いる編製ファスナーテープを開示している。このファスナーテープは、経糸の再帰反射性フィルム部分により夜間照射光を反射して存在を知らせることを目的する。また、実用新案登録第２５８７１８０号公報は、芯糸にアルミニウムや銅等の導電性の箔を巻き付けてなる通電線を芯部（務歯が取り付けられる側の縁部）に含む織成テープを開示している。前記通電線は、金属製の務歯に通電して電気化学的表面処理を施すためのものである。上述したファスナーテープは、芯糸にフィルム等を巻き付けることにより、ファスナーテープに再帰反射性や導電性の機能を付与するものであり、ファスナーテープの外観やファッション性に関するものではない。
【先行技術文献】
【特許文献】
【０００３】
【特許文献１】特許第３５２６３８９号公報
【特許文献２】特許第３５２６３９０号公報
【特許文献３】実用新案登録第２５８７１８０号公報
【発明の概要】
【発明が解決しようとする課題】
【０００４】
従って、本発明は、芯糸にフィルムを巻き付けてなる経糸を使用した、新規な外観を有し、ファッション性を高めることができるスライドファスナー用のテープを提供することを目的とする。
【０００５】
本発明によれば、経糸と緯糸を織製してなるスライドファスナー用のテープであって、長手方向に直交する幅方向において、務歯が取り付けられる側の縁部である芯部と、芯部とは反対側の縁部である耳部と、芯部と耳部との間の本体部とを含み、前記本体部は、芯糸とこの芯糸に螺旋状に巻き付けけた色付きのフィルムとからなるフィルム糸を、少なくとも複数本の経糸として含むことを特徴とするスライドファスナー用のテープが提供される。
【０００６】
本発明では、織物製ファスナーテープの本体部において、経糸群の少なくとも一部の経糸として、芯糸に色付きのフィルムを螺旋状に巻き付けてなるフィルム糸を使用する。これにより、テープ本体部の織製組織に経糸として織り込まれたフィルム糸の色付きフィルム部分が光を反射し、ファスナーテープにキラキラ光る光沢を与えることができる。本発明において、「色付きフィルム」とは、無色透明ではなく、有色で透明あるか、又は不透明な光反射性フィルムをいう。フィルムの素材としては、ポリエステル樹脂、ポリ塩化ビニル、ポリエチレン、フェノール樹脂等の合成樹脂等が挙げられるが、これらに限定されるものではない。本発明において、フィルム糸は、テープの本体部をなす多数の経糸のうちの少なくとも複数本として用いられる。フィルム糸は、テープの本体部において、全経糸に用いたり、幅方向に隣接しつつ並ぶ多数の経糸の１本ごと、あるいは２本以上ごとに組み込むことができる。
【０００７】
本発明において、経糸、緯糸、芯糸の素材としては、ポリエステル、ナイロン、ポリプロピレン、アクリル等を使用することができるが、これらに限定されるものではない。
【０００８】
本発明の一実施形態では、前記フィルム糸において、芯糸は透明又は白色であり、前記フィルムは、フィルムの一巻き間に芯糸を部分的に露出させるように芯糸に巻かれる。この場合、フィルム糸の外観には、芯糸に螺旋状に巻かれた色付きフィルムが現れる部分と、芯糸の長手方向に隣り合うフィルムの二つの一巻き間に露出する芯糸部分とが、フィルム糸の長手方向に交互に配列される。このフィルム糸における色付きフィルム部分と透明又は白色の芯糸露出部分とが、ファスナーテープの外観にキラキラ光る部分とあまり光らない部分とのコントラストや濃淡を与える。
【０００９】
本発明の一実施形態において、前記緯糸は先染め糸である。先染め糸とは、ファスナーテープとして織製される前に染色された色付きの糸をいう。このような先染め糸を用いることにより、ファスナーテープの外観に、経糸としてのフィルム糸のフィルム部分（及び芯糸露出部分）と色付きの緯糸とによるコントラストを与えることができる。
【発明の効果】
【００１０】
本発明では、織物製ファスナーテープの本体部において、経糸群の少なくとも一部の経糸として、芯糸に色付きのフィルムを螺旋状に巻き付けてなるフィルム糸を使用することにより、テープ本体部の織製組織に経糸として織り込まれたフィルム糸の色付きフィルム部分が光を反射し、ファスナーテープにキラキラ光る外観を与えることができる。
【図面の簡単な説明】
【００１１】
【図１】図１は、スライドファスナー１を示す平面図である。
【図２】図２は、ファスナーテープの部分拡大図である。
【図３】図３は、本体部の経糸と緯糸の織製組織の構成を概略的に示す説明図である。
【図４】図４は、フィルム糸の部分拡大図である。
【発明を実施するための形態】
【００１２】
以下、本発明の実施形態を図面に基づいて説明するが、本発明はそれら実施形態に限定されるものではなく、特許請求の範囲及び均等の範囲内で適宜変更等がなされ得る。図１は、スライドファスナー１を示す平面図である。スライドファスナー１は、本発明の一実施形態に係るスライドファスナー用のテープとしての左右（以下、左右及び上下は図の紙面に基づく）一対のファスナーテープ（以下、単に「テープ」ともいう。）１０を備える。両テープ１０の長手方向に直交する幅方向において互いに対向する縁部（芯部）１１には、多数の務歯２が長手方向に沿って取り付けられる。更に、スライドファスナー１は、左右の務歯２間を噛合及び噛合解除するためのスライダー３と、スライダー３の上下動を制限する上止め４及び下止め５とを含む。スライドファスナー１は、ユーザーがスライダー３を上方に移動させると左右の務歯２間が閉じ、下方に移動させると左右の務歯２間が開くように構成される。
【００１３】
図２は、ファスナーテープ１０の部分拡大図である。テープ１０は、経糸２０と緯糸３０を織製してなる。経糸２０としては後述するフィルム糸２０（図４参照）が用いられている。また、本実施形態では、緯糸３０として、テープ１０として織製される前に緑色に染色したポリエスター単繊維糸を複数本組み合わせて１本の緯糸３０を構成したものを用いた。テープ１０は、幅方向において、務歯２が取り付けられる側の縁部である芯部１１と、芯部１１とは反対側の縁部である耳部１２と、芯部１１と耳部１２との間の本体部１３とを含む。芯部１１には、務歯２の取り付けに対応できる強度を与えるため、図示しない芯紐がテープ１０の織製と同時に長手方向に織り込まれ得る。耳部１２は緯糸３０が折り返される縁部であり、ここには図示しないほつれ防止用の耳糸が長手方向に組み込まれ得る。スライドファスナー１が例えば衣服に取り付けられる場合、テープ１０の本体部１３から衣服に縫着され、本体部１３の一部はその衣服の外部から見える。そのため、本体部１３は衣服の外観の一部を構成し、衣服のファッション性に影響を与える。
【００１４】
図３は、本体部１３の経糸２０としてのフィルム糸２０と緯糸３０の織製組織の構成を概略的に示す説明図である。図４は、フィルム糸２０の部分拡大図である。フィルム糸２０は、透明又は白色の芯糸２１と、芯糸２１に螺旋状に巻きつけた色付きのフィルム２２とからなる。本実施形態では、フィルム糸２０の芯糸２１として色のついていないポリエスター糸を用い、フィルム２２として、青色で透明なポリエステル樹脂フィルムを約０．３ｍｍの幅の細長い帯状にしたものを用いた。このようなフィルム糸２０は、ラレックス（LUREX）と呼ばれるラメ用の糸の一種である。フィルム糸２０において、フィルム２２は、フィルム糸２０の長手方向で隣り合うフィルム２２の二つの一巻２２ａ、２２ｂ間に、芯糸２１を部分的に露出させるように芯糸２１に巻かれる。これにより、フィルム糸２０の外観には、芯糸２１に巻かれたフィルム２２の青色部分と、フィルム２２の一巻き２２ａ、２２ｂ間に露出する芯糸２１の色のない部分とが、フィルム糸２０の長手方向に交互に配列される。
【００１５】
再び図３を参照して、本実施形態では、ファスナーテープ１０の本体部１３において、フィルム糸２０及び緯糸３０が縦横に１本ずつ交互に浮き（図３紙面手前側への持ち上がり）沈み（同奥側への引っ込み）する織製組織が示される。すなわち、ある１本のフィルム糸２０が、長手方向（図３の紙面上下方向）に隣接しつつ並ぶ緯糸３０に対し１本ごとに浮き沈みを繰り返し、前記ある１本のフィルム糸２０に隣接する別の１本のフィルム糸２０は、緯糸３０に対する浮き沈みが前記ある１本のフィルム糸２０とは逆になる。しかしながら、本実施形態では、テープ１０の本体部１３を構成するすべての経糸をフィルム２０としたが、これに限らず、例えば、幅方向に並ぶ経糸の１本おき、あるいは２本以上おきに１本又は２本以上のフィルム糸２０を組み込むことができる。これにより、ファスナーテープ１０の本体部１３に対し、フィルム糸２０におけるフィルム２２のキラキラ光る青色部分と、芯糸２１の光らない部分とがコントラストをなす新規な外観を与えることができる。これに加えて、緑色の緯糸３０により、ファスナーテープ１０の本体部１３には、従来見られなかった斬新な外観が現れる。これにより、スライドファスナー１のファッション性を高めることができる。
【符号の説明】
【００１６】
１  スライドファスナー
２  務歯
１０  スライドファスナー用のテープ（ファスナーテープ）
１１  芯部
１２  耳部
１３  本体部
２０  フィルム糸（経糸）
２１  芯糸
２２  フィルム
２２ａ、２２ｂ  フィルムの一巻き
３０  緯糸
【図１】
2016137065.tif 000003
【図２】
2016137065.tif 000004
【図３】
2016137065.tif 000005
【図４】
2016137065.tif 000006